【手続補正書】
【提出日】平成25年5月20日(2013.5.20)
【手続補正１】
【補正対象書類名】明細書
【補正対象項目名】発明の名称
【補正方法】変更
【補正の内容】
【発明の名称】情報伝送システム、情報伝送方法、受光装置、受光方法、及び、プログラム
【手続補正２】
【補正対象書類名】明細書
【補正対象項目名】０００１
【補正方法】変更
【補正の内容】
【０００１】
本発明は、輝度変調された光を媒体にして情報を伝送する情報伝送システム、情報伝送方法、輝度変調された光を媒体にして情報を受光する受光装置、受光方法、及び、プログラムに関する。
【手続補正３】
【補正対象書類名】明細書
【補正対象項目名】００１５
【補正方法】変更
【補正の内容】
【００１５】
そこで、本発明の目的は、受信側における無駄な処理を回避することができる情報伝送システム、情報伝送方法、輝度変調された光を媒体にして情報を受光する受光装置、受光方法、及び、プログラムを提供することにある。
【手続補正４】
【補正対象書類名】明細書
【補正対象項目名】００１６
【補正方法】変更
【補正の内容】
【００１６】
請求項１記載の発明は、輝度変調された光を媒体にして任意の情報を伝送する情報伝送システムにおいて、前記光は所定の低速周期で変調された低速データと所定の高速周期で変調された高速データとの多重化が可能であり、かつ、前記低速データの論理フォーマットに、前記高速データが多重化されているかを示す情報を保持するための情報部を設けたことを特徴とする情報伝送システムである。
請求項２記載の発明は、輝度変調された光を媒体にして任意の情報を伝送する情報伝送方法において、前記光は所定の低速周期で変調された低速データと所定の高速周期で変調された高速データとの多重化が可能であり、かつ、前記低速データの論理フォーマットに、前記高速データが多重化されているかを示す情報を保持するための情報部を設けたことを特徴とする情報伝送方法である。
請求項３記載の発明は、輝度変調された光を特定の周期で連続的に受光する受光手段と、この受光手段によって受光された光から第１の情報へ復号する復号手段と、この復号手段によって復号された第１の情報より、前記輝度変調された光が、前記特定の周期で第２の情報が変調された低速データと前記特定の周期よりも速い周期で前記第２情報が変調された高速データとが多重化されているか否かを判断する判断手段と、この判断手段による判断結果に基づいて、前記受光手段に対し、前記特定の周期よりも速い周期で連続的に前記変調された光を受光するよう前記受光手段を制御する制御手段と、を備えることを特徴とする受光装置である。
請求項６記載の発明は、受光部にて輝度変調された光を特定の周期で連続的に受光する受光ステップと、この受光ステップにて受光された光から第１の情報へ復号する復号ステップと、この復号ステップにて復号された第１の情報より、前記輝度変調された光が、前記特定の周期で第２の情報が変調された低速データと前記特定の周期よりも速い周期で前記第２の情報が変調された高速データとが多重化されているか否かを判断する判断ステップと、この判断ステップでの判断結果に基づいて、前記受光部に対し、前記特定の周期よりも速い周期で連続的に前記変調された光を受光するよう制御する制御ステップと、を含むことを特徴とする受光方法である。
請求項７記載の発明は、受光装置が有するコンピュータを、受光部にて輝度変調された光を特定の周期で連続的に受光させる受光手段、この受光手段によって受光された光から第１の情報へ復号する復号手段、この復号手段によって復号された第１の情報より、前記輝度変調された光が、前記特定の周期で第２の情報が変調された低速データと前記特定の周期よりも速い周期で前記第２の情報が変調された高速データとが多重化されているか否かを判断する判断手段、この判断手段による判断結果に基づいて、前記受光部に対し、前記特定の周期よりも速い周期で連続的に前記変調された光を受光するよう制御する制御手段、として機能させることを特徴とするプログラムである。
【手続補正５】
【補正対象書類名】特許請求の範囲
【補正対象項目名】全文
【補正方法】変更
【補正の内容】
【特許請求の範囲】
【請求項１】
輝度変調された光を媒体にして任意の情報を伝送する情報伝送システムにおいて、
前記光は所定の低速周期で変調された低速データと所定の高速周期で変調された高速データとの多重化が可能であり、
かつ、前記低速データの論理フォーマットに、前記高速データが多重化されているかを示す情報を保持するための情報部を設けたことを特徴とする情報伝送システム。
【請求項２】
輝度変調された光を媒体にして任意の情報を伝送する情報伝送方法において、
前記光は所定の低速周期で変調された低速データと所定の高速周期で変調された高速データとの多重化が可能であり、
かつ、前記低速データの論理フォーマットに、前記高速データが多重化されているかを示す情報を保持するための情報部を設けたことを特徴とする情報伝送方法。
【請求項３】
輝度変調された光を特定の周期で連続的に受光する受光手段と、
この受光手段によって受光された光から第１の情報へ復号する復号手段と、
この復号手段によって復号された第１の情報より、前記輝度変調された光が、前記特定の周期で第２の情報が変調された低速データと前記特定の周期よりも速い周期で前記第２情報が変調された高速データとが多重化されているか否かを判断する判断手段と、
この判断手段による判断結果に基づいて、前記受光手段に対し、前記特定の周期よりも速い周期で連続的に前記変調された光を受光するよう前記受光手段を制御する制御手段と、
を備えることを特徴とする受光装置。
【請求項４】
前記受光手段は撮像手段を含み、
前記特定の周期で受光した場合の前記撮像手段から読み出す撮像範囲と、前記特定の周期よりも速い周期で受光した場合の前記撮像手段から読み出す撮像範囲とを異ならせるよう制御する読出制御手段を更に備えることを特徴とする請求項３記載の受光装置。
【請求項５】
前記第１の情報とは、前記低速データの論理フォーマットに保持されていることを特徴とする請求項３又は４に記載の受光装置。
【請求項６】
受光部にて輝度変調された光を特定の周期で連続的に受光する受光ステップと、
この受光ステップにて受光された光から第１の情報へ復号する復号ステップと、
この復号ステップにて復号された第１の情報より、前記輝度変調された光が、前記特定の周期で第２の情報が変調された低速データと前記特定の周期よりも速い周期で前記第２の情報が変調された高速データとが多重化されているか否かを判断する判断ステップと、
この判断ステップでの判断結果に基づいて、前記受光部に対し、前記特定の周期よりも速い周期で連続的に前記変調された光を受光するよう制御する制御ステップと、
を含むことを特徴とする受光方法。
【請求項７】
受光装置が有するコンピュータを、
受光部にて輝度変調された光を特定の周期で連続的に受光させる受光手段、
この受光手段によって受光された光から第１の情報へ復号する復号手段、
この復号手段によって復号された第１の情報より、前記輝度変調された光が、前記特定の周期で第２の情報が変調された低速データと前記特定の周期よりも速い周期で前記第２の情報が変調された高速データとが多重化されているか否かを判断する判断手段、
この判断手段による判断結果に基づいて、前記受光部に対し、前記特定の周期よりも速い周期で連続的に前記変調された光を受光するよう制御する制御手段、
として機能させることを特徴とするプログラム。